(57)【要約】【課題】  従来は、メモリカードにはテープＩＤ毎の各フォルダにライブラリ情報が格納されているために、１つずつテープカセットを取り替えてすべてを見ない限り、どのテープカセットにどんな映像が記録されているかを知ることができない。【解決手段】  固有のカードＩＤを有するメモリカードに記録されている、テープのライブラリ情報（サムネイル画像、テープＩＤ、テープ番号、カードＩＤなど）を読み出して特定ディレクトリ２３に格納する。ライブラリ解析・ＨＴＭＬ作成部２１は、特定ディレクトリ２３のライブラリ情報を解析し、ＨＴＭＬファイルを作成して画面表示部２２に表示する。ここで、特定ディレクトリ２３に格納された複数のメモリカードのライブラリ情報において、カードＩＤが重複しているときには、カードＩＤとテープ番号とを同時に表示する。これにより、全てのテープの記録情報に関するライブラリ情報を管理・閲覧する。【選択図】            図２
2006041565.tif 000002
【特許請求の範囲】
【請求項１】
撮像素子により撮像して得た被写体像を少なくとも記録する第１の記録媒体と、前記被写体像の記録開始毎に、その記録開始時の検索用画像と前記第１の記録媒体の記録開始位置情報とを少なくとも記録する可搬型の第２の記録媒体とを搭載可能であり、頭出し検索時には、前記第２の記録媒体に記録された検索用画像を表示部に一覧表示し、一覧表示されている検索用画像を選択することにより、選択された検索用画像に対応付けて前記第２の記録媒体に記録されている第１の記録媒体の記録開始位置情報により示される前記第１の記録媒体の位置から頭出し再生するビデオカメラにおいて、
前記第１の記録媒体毎に付された固有の第１の識別情報と、前記第２の記録媒体毎に付された固有の第２の識別情報を前記第１の記録媒体に記録すると共に、前記第１及び第２の識別情報と前記第１の記録媒体の記録順番を示す番号情報とを前記検索用画像及び記録開始位置情報と対応付けて前記第２の記録媒体にライブラリ情報として記録する記録手段と、
前記第１の記録媒体から再生された前記第１の識別情報と、前記第２の記録媒体から再生された前記第１の識別情報とが一致した時に前記第１の記録媒体の前記頭出し再生を可能とする再生手段と、
前記頭出し検索時に少なくとも前記第２の識別情報を表示する表示手段と
を有することを特徴とするビデオカメラ。
【請求項２】
請求項１記載のビデオカメラにより記録された前記第２の記録媒体の記録ライブラリ情報と前記第１の記録媒体とを対応付けて管理するデータ管理システムであって、
前記ビデオカメラから取り外した前記第２の記録媒体の記録ライブラリ情報を、複数の前記第２の記録媒体のそれぞれについて記憶する記憶手段と、
前記記憶手段に記憶された複数の前記第２の記録媒体の前記記録ライブラリ情報をそれぞれ解析し、他の記録ライブラリ情報に含まれる前記第１の識別情報と同一の前記第１の識別情報を含む記録ライブラリ情報が存在するか否か解析する解析手段と、
前記解析手段により、他の記録ライブラリ情報に含まれる前記第１の識別情報と同一の前記第１の識別情報を含むと解析された記録ライブラリ情報を表示するときに、前記第２の識別情報と前記番号情報とを同時に表示する表示手段と
を有し、前記表示手段に表示された前記第２の識別情報と前記番号情報に基づき、前記第２の記録媒体と前記第１の記録媒体の筐体に記載された前記第２の識別情報と前記番号情報とを対応付けて管理することを特徴とするデータ管理システム。
【発明の詳細な説明】
【技術分野】
【０００１】
本発明はビデオカメラ及びそれを用いたデータ情報管理システムに係り、特に撮影した映像信号を記録媒体に記録すると共に、記録媒体に記録した映像信号の検索用画像を別の記録媒体に記録する機能を有するビデオカメラとそれを用いてデータ情報管理を行うデータ情報管理システムに関する。
【背景技術】
【０００２】
撮像して得られる被写体像の映像信号を第１の記録媒体である磁気テープに記録する毎に、その記録開始時の撮像映像（初期画像）を静止画であるサムネイル画像として、磁気テープの記録開始位置情報と共に可搬型の第２の記録媒体（例えば、メモリカード）に記録するライブラリ機能を有するビデオカメラが本出願人により提案されている（例えば、特許文献１参照）。
【０００３】
この従来のビデオカメラでは、ビデオカメラ内に装填されるテープカセット毎に識別番号であるテープＩＤとテープ番号を割り付け、ビデオカメラ内に装填されるメモリカードにはテープＩＤ毎にフォルダを作成する。そして、テープカセット内の磁気テープに、前記したように撮影した被写体像の映像信号を各トラックに記録すると共に、上記のテープＩＤとメモリカードの固有番号（カードＩＤ）を各トラックの所定位置に記録する。一方、上記メモリカードのフォルダ内には、映像信号記録開始毎に上記のサムネイル画像と共に、そのときの磁気テープ上の映像記録開始位置情報であるタイムコードや日時情報、テープ番号、そのメモリカード固有のカードＩＤなどを記録する。
【０００４】
従って、この従来のビデオカメラでは、図５に示すように、磁気テープ２には映像信号以外には、カードＩＤとテープＩＤが記録されており、メモリカード３にはサムネイル画像、タイムコード、日時情報、テープＩＤ、テープ番号及びカードＩＤなどのライブラリ情報が記録されており、これらが対応するようになされている。
【０００５】
これにより、従来のビデオカメラでは、頭出し検索時には、磁気テープからテープＩＤとカードＩＤとを再生する一方、メモリカードからはそのメモリカード毎に固有に割り当てられているカードＩＤを再生して、カードＩＤが磁気テープから再生したカードＩＤと一致するかどうか確認し、一致する場合は、テープＩＤに対応したフォルダから検索用のサムネイル画像を読み出して、一覧表示させる。
【０００６】
そして、従来のビデオカメラは、この一覧表示されたサムネイル画像の中から頭出し再生しようとする内容を示すサムネイル画像にカーソルを移動して選択するなどの操作が成されることにより、その選択されたサムネイル画像の記録開始位置の磁気テープ位置を頭出し検索して、検索した記録開始位置からそのサムネイル画像に関する記録動画像信号の再生を開始する頭出し検索機能を有する。
【０００７】
従って、上記の頭出し検索機能は、図５に示した磁気テープ２が持つカードＩＤ及びテープＩＤと、メモリカード３が持つカードＩＤ及びテープＩＤとが１対１で対応している場合のみ使用可能であり、その際にのみライブラリは有効になる。また、ユーザは、ライブラリ内のテープ番号をその磁気テープのラベルに記載しておく必要がある。
【０００８】
【特許文献１】特開２００２−２１８３６６号公報
【発明の開示】
【発明が解決しようとする課題】
【０００９】
ところで、上記の従来のビデオカメラ１台で、３つのテープカセットを撮像する被写体などに応じて選択して使用する場合は、図６に示すように、一つのメモリカード５に、３つのテープカセット６ａ、６ｂ、６ｃの各ライブラリ情報が記録されることになる（なお、以下、特に断りがない限り、１つのテープカセットにおけるライブラリ情報は複数のメモリカードにまたがって記録されないものとする。）。
【００１０】
しかるに、上記の従来のビデオカメラは、メモリカード５に記録されたライブラリ情報は、ビデオカメラ本体内での使用に限られ、実際に利用できる情報は、装填されているテープカセットのもののみである。従って、従来のビデオカメラでは、図６のような場合は、ビデオカメラでメモリカード５のライブラリ情報を再生しようとする場合、メモリカード５にはテープＩＤ毎の各フォルダにライブラリ情報が格納されているために、１つずつテープカセットを取り替えて３つすべてを見ない限り、どのテープカセットにどんな映像が記録されているかを知ることができない。
【００１１】
本発明は以上の点に鑑みなされたもので、メディアに記録されたライブラリ情報をビデオカメラ本体外に蓄積、編集することにより、ビデオカメラが無くとも記録された全てのテープに対するライブラリ情報を管理・閲覧し得るビデオカメラ及びそれを用いたデータ情報管理システムを提供することを目的とする。
【課題を解決するための手段】
【００１２】
上記目的を達成するため、第１の発明のビデオカメラは、撮像素子により撮像して得た被写体像を少なくとも記録する第１の記録媒体と、被写体像の記録開始毎に、その記録開始時の検索用画像と第１の記録媒体の記録開始位置情報とを少なくとも記録する可搬型の第２の記録媒体とを搭載可能であり、頭出し検索時には、第２の記録媒体に記録された検索用画像を表示部に一覧表示し、一覧表示されている検索用画像を選択することにより、選択された検索用画像に対応付けて第２の記録媒体に記録されている第１の記録媒体の記録開始位置情報により示される第１の記録媒体の位置から頭出し再生するビデオカメラにおいて、第１の記録媒体毎に付された固有の第１の識別情報と、第２の記録媒体毎に付された固有の第２の識別情報を第１の記録媒体に記録すると共に、第１及び第２の識別情報と第１の記録媒体の記録順番を示す番号情報とを検索用画像及び記録開始位置情報と対応付けて第２の記録媒体にライブラリ情報として記録する記録手段と、第１の記録媒体から再生された第１の識別情報と、第２の記録媒体から再生された第１の識別情報とが一致した時に第１の記録媒体の頭出し再生を可能とする再生手段と、頭出し検索時に少なくとも第２の識別情報を表示する表示手段とを有することを特徴とする。
【００１３】
この発明では、一覧表示されている検索用画像を選択することにより、選択された検索用画像に対応付けて第２の記録媒体に記録されている第１の記録媒体の記録開始位置情報により示される第１の記録媒体の位置を検索する頭出し検索時に、少なくとも第２の識別情報を表示する。
【００１４】
また、上記の目的を達成するため、本発明のデータ管理システムは、第１の発明のビデオカメラにより記録された第２の記録媒体の記録ライブラリ情報と第１の記録媒体とを対応付けて管理するデータ管理システムであって、ビデオカメラから取り外した第２の記録媒体の記録ライブラリ情報を、複数の第２の記録媒体のそれぞれについて記憶する記憶手段と、記憶手段に記憶された複数の第２の記録媒体の記録ライブラリ情報をそれぞれ解析し、他の記録ライブラリ情報に含まれる第１の識別情報と同一の第１の識別情報を含む記録ライブラリ情報が存在するか否か解析する解析手段と、解析手段により、他の記録ライブラリ情報に含まれる第１の識別情報と同一の第１の識別情報を含むと解析された記録ライブラリ情報を表示するときに、第２の識別情報と番号情報とを同時に表示する表示手段とを有し、表示手段に表示された第２の識別情報と番号情報に基づき、第２の記録媒体と第１の記録媒体の筐体に記載された第２の識別情報と番号情報とを対応付けて管理することを特徴とする。
【００１５】
この発明では、ビデオカメラから取り外した第２の記録媒体の記録ライブラリ情報を、複数の第２の記録媒体のそれぞれについて記憶手段に一旦記憶した後、複数の第２の記録媒体の記録ライブラリ情報を解析し、他の記録ライブラリ情報に含まれる第１の識別情報と同一の第１の識別情報を含むと解析された記録ライブラリ情報を表示するときに、第２の識別情報と番号情報とを同時に表示するようにしたため、一つの第１の記録媒体のライブラリ情報が複数の第２の記録媒体に記録されている場合、第２の識別情報を表示することにより、表示された第２の識別情報に係る第２の記録媒体と、筐体に第２の識別情報と番号情報とが記載されている第１の記録媒体とを対応付けて管理することができる。
【発明の効果】
【００１６】
本発明のビデオカメラによれば、第２の記録媒体に記録されている第１の記録媒体の記録開始位置情報により示される第１の記録媒体の位置を検索する頭出し検索時に、少なくとも第２の識別情報を表示するようにしたため、第１の記録媒体の記録情報に関するライブラリ情報が記録される第２の記録媒体を識別できる。
【００１７】
また、本発明のデータ管理システムによれば、ビデオカメラから取り外した第２の記録媒体に記録されている第１の記録媒体の記録情報に関するライブラリ情報を、複数の第２の記録媒体のそれぞれについて記憶手段に一旦記憶した後、複数の第２の記録媒体の記録ライブラリ情報を解析し、一つの第１の記録媒体のライブラリ情報が複数の第２の記録媒体に記録されている場合、第２の識別情報を表示することにより、表示された第２の識別情報に係る第２の記録媒体と、筐体に第２の識別情報と番号情報とが記載されている第１の記録媒体とを対応付けて管理することができるため、ビデオカメラが無くとも記録された全ての第１の記録媒体の記録情報に関するライブラリ情報を管理・閲覧することができ、過去に撮影した大量の第１の記録媒体を管理することが可能となる。
【発明を実施するための最良の形態】
【００１８】
次に、発明を実施するための最良の形態について図面と共に説明する。図１は本発明になるビデオカメラの一実施の形態の概略ブロック図を示す。同図において、ビデオカメラ１０は、基本的な構成は前記特許文献１記載のビデオカメラと同様であるが、本実施の形態はこの構成に解析部１１を設け、メモリカード１３が装填されているときには、カードＩＤ読み取りの指示入力に基づいて、解析部１１がメモリカード１３のカードＩＤとテープ番号を読み取り、それを表示部１２に表示する点に特徴がある。
【００１９】
従来のビデオカメラでは、メモリカードがビデオカメラ本体に挿入されていても、そのメモリカードのカードＩＤを確認することができなかった。これに対し、本実施の形態では、メモリカード１３のカードＩＤ及びテープ番号を頭出し検索時において表示部１２に表示させることができるため、ビデオカメラ本体に挿入されたメモリカード１３のカードＩＤとテープ番号を確認することができる。なお、上記のカードＩＤとしては、固有のカード製造番号であるカードシリアルナンバーの例えば下４桁を用い得る。
【００２０】
次に、上記のビデオカメラを用いた本発明のデータ情報管理システムの実施の形態について、図面と共に説明する。図２は本発明になるデータ情報管理システムの一実施の形態の概略システム構成図を示す。本実施の形態は、パーソナルコンピュータ（パソコン）により実現され、ライブラリ解析・ＨＴＭＬ作成部２１、画面表示部２２及び特定ディレクトリ２３からなる構成である。特定ディレクトリ２３はハードディスクで構成される。
【００２１】
本実施の形態では、まず、本発明のビデオカメラによりメモリカードに記録されているライブラリ情報（これは図５に３で示したように、サムネイル画像、タイムコード、日時情報、テープＩＤ、テープ番号、カードＩＤなどからなる）を読み出して特定ディレクトリ２３に格納する。ここで、ビデオカメラがネットワーク対応のサーバ機能を持つ構成である場合は、ネットワークを介してそのビデオカメラに装填されているメモリカードの記録ライブラリ情報を取得して特定ディレクトリ２３に格納する。
【００２２】
ビデオカメラがネットワーク対応でない場合は、ビデオカメラに挿入されているメモリカードを抜き出してカードリーダに装填し、そのカードリーダにより読み出したメモリカードの記録ライブラリ情報をパソコン内の特定ディレクトリ２３に書き込む（コピーする）。又は、ＵＳＢ（Universal Serial Bus）などによる有線ケーブルを用いたシリアル転送により、メモリカードの記録ライブラリ情報をパソコン内の特定ディレクトリ２３に書き込む（コピーする）。
【００２３】
ライブラリ解析・ＨＴＭＬ作成部２１は、特定ディレクトリ２３に書き込まれているライブラリ情報を解析し、その解析結果に基づき管理・閲覧し易いようにＨＴＭＬ(Hypertext Markup Language)ファイルを作成し、それを画面表示部２２に供給して表示する。
【００２４】
次に、この画面表示部２２の画面表示例について説明する。図３は上記の画面表示の一例の図を示す。この画面はウェブブラウザ上で動作させて表示させたもので、タグ１０１の並び替えのメニュー表示部１００、ライブラリ情報を表示するタグ１０１、表示するタグの早送り、巻き戻しのためのボタン１０２、タグ内の並べ替えメニュー表示部１０３、サムネイル画像１０４ａ、１０４ｂ、１０４ｃ、サムネイル画像に対応したライブラリ情報１０５ａ、１０５ｂ、１０５ｃ、コメント表示部１０６ａ、ページの送り・戻し機能表示部１０７などからなる。
【００２５】
ここで、ビデオカメラがネットワーク対応のサーバ機能を持つ構成であり、ネットワークを介してそのビデオカメラに装填されているメモリカードの記録ライブラリ情報が特定ディレクトリ２３を介して画面表示部２２に表示されており、かつ、表示されたライブラリ情報に対応した磁気テープが当該ビデオカメラに装填されている場合は、サムネイル画像１０４ａ、１０４ｂ又は１０４ｃをクリックすると、そのサムネイル画像に対応したタイムコード等がネットワークを介してビデオカメラに送信され、それに基づきビデオカメラは記録開始位置の磁気テープ位置を頭出し検索して、検索した記録開始位置からそのサムネイル画像に関する記録動画像信号の再生を開始する。
【００２６】
メニュー表示部１００は、タグ１０１をユーザの好みで選択できるようにプルダウン形式になっている。メニュー表示部１００の他のメニューとしては、テープ番号順、カードＩＤ順がある。タグ１０１は、大まかな分類を示し、メニュー表示部１００の表示によって変わってくる。例えば、メニュー表示部１００がテープ番号順であれば、タグ１０１はテープ番号＃１、テープ番号＃２、・・・というようにテープ番号順に並ぶ。
【００２７】
カードＩＤ順であれば、カードがカードＡ〜カードＤまで４枚あり、それぞれのカードＩＤをＡから順に“１１１１”、“２２２２”、“３３３３”、“４４４４”とすると、タグ１０１はカードＩＤ１１１１、２２２２、３３３３、４４４４の順で並ぶ。
【００２８】
表示するタグの早送り、巻き戻しのためのボタン１０２は、タグ１０１の送り・戻し機能で表示しきれないタグ１０１を表示したい時などに使用する。ボタン１０２のうち左２つが戻し機能で、その左側は最初のタグ１０１にジャンプし、右側は表示されている最左端タグ１０１の左隣のタグ１０１を表示するものである。同様に、ボタン１０２の右２つは送り機能で、その右側は最後のタグ１０１にジャンプし、左側は表示されている最右端タグ１０１の右隣のタグ１０１を表示するものである。
【００２９】
並べ替えメニュー表示部１０３はユーザによって選択されたタグ１０１を並べ替えるための表示部で、これもメニュー表示部１００と同様にプルダウン形式になっている。他のメニューとしてはテープ番号順、カードＩＤ順がある。サムネイル画像１０４ａ〜１０４ｃは磁気テープに記録された動画像の先頭のシーンの静止画のサムネイルである。ユーザは主にこのサムネイル画像１０４ａ〜１０４ｃで磁気テープの記録内容を知る。
【００３０】
ライブラリ情報１０５ａ〜１０５ｃはサムネイルと共に、メモリカードより取得したライブラリである。ここにはメニュー表示部１００とメニュー表示部１０３に従ったライブラリが表示される。コメント表示部１０６ａは、ユーザ独自のコメントを記録する表示部で、ユーザがメモなどを残したい時に使用する。サムネイル画像１つに対してコメント１つを記録できるようにするため、サムネイル画像が置かれるディレクトリと同じディレクトリに、サムネイル画像と同じ名前（拡張子のみ変える）で記録する。
【００３１】
ページの送り・戻し機能表示部１０７は、タグ１０１内で表示しきれないデータを表示するページ送り・戻し機能の表示部である。ページの送り・戻し機能表示部１０７の中央のプルダウンから何ページを表示するか決定することができ、次のページ（前のページ）で１つずつ送る（戻す）こともできる。本実施の形態では、この画面表示部２２の画面表示に基づき、大量のテープカセットを管理することができる。
【００３２】
次に、テープカセット１つに対してメモリカードが複数対応する場合の管理方法について説明する。例えば、ユーザが３台のビデオカメラを有しており、それら３台のビデオカメラで、テープカセットを撮影対象などに応じて共用するなどにより、例えば図４に示すように、３つのメモリカード３１Ａ、３１Ｂ、３１Ｃの各々が記憶しているテープＩＤが、テープカセットＴ１〜Ｔ６で混在することがあり得る。
【００３３】
図４では、メモリカード３１ＡにはテープカセットＴ１、Ｔ２、Ｔ３、Ｔ４のライブラリが記録されており、メモリカード３１ＢにはテープカセットＴ３、Ｔ４のライブラリが記録されており、メモリカード３１ＣにはテープカセットＴ４、Ｔ５、Ｔ６のライブラリが記録されている。
【００３４】
このように、テープカセットのライブラリが複数のメモリカード３１Ａ〜３１Ｃにまたがっている場合、図３に示したライブラリ表示部１０５ａ〜１０５ｃ内のテープ番号の表示方法を後述のように変えることでそれに対応する。
【００３５】
いま、メモリカード３１Ａ〜３１ＣにテープカセットＴ１〜Ｔ６のライブラリが記録された順を、図４に丸数字で示す順番とすると、例えばテープカセットＴ４はメモリカード３１Ａにとっては４番テープ、メモリカード３１Ｂにとっては２番テープ、メモリカード３１Ｃにとっては１番テープとなる。
【００３６】
ここで、メモリカード３１ＡのカードＩＤを“１１１１”、メモリカード３１ＢのカードＩＤを“２２２２”、メモリカード３１ＣのカードＩＤを“３３３３”とすると、頭出し検索時に図１の構成のビデオカメラにメモリカード３１Ａを挿入しているときには、表示部１２には”１１１１”が表示され、メモリカード３１Ｂを挿入しているときには、”２２２２”が表示され、メモリカード３１Ｃを挿入しているときには”３３３３”がテープ番号と共に表示されることになる。
【００３７】
従って、例えば、メモリカード３１Ａを挿入しているビデオカメラで撮影した映像信号をテープカセットＴ４に記録した後、頭出し検索をすると、表示部１２にカードＩＤ“１１１１”と４番テープであることを示す、例えば”０００４”が表示されるので、そのテープカセットＴ４をビデオカメラから取り出した時に、それらをテープカセットＴ４のラベルに記録しておく。
【００３８】
他の場合も同様であり、メモリカード３１Ｂを挿入しているビデオカメラで撮影した映像信号をテープカセットＴ４に記録した後、頭出し検索をすると、表示部１２にカードＩＤ“２２２２”と２番テープであることを示す、例えば”０００２”が表示され、メモリカード３１Ｃを挿入しているビデオカメラで撮影した映像信号をテープカセットＴ４に記録した後、頭出し検索をすると、表示部１２にカードＩＤ“３３３３”と１番テープであることを示す、例えば”０００１”が表示されるので、それらをテープカセットＴ４のラベルに記録しておく。
【００３９】
一方、図２に示したパソコンの特定ディレクトリ２３に、メモリカード３１Ａのライブラリ情報を格納したとき、メモリカード３１Ｂのライブラリ情報を格納した時、及びメモリカード３１Ｃのライブラリ情報を格納した時のそれぞれについて、特定ディレクトリ２３から読み出したライブラリ情報の中にライブラリ解析・ＨＴＭＬ作成部２１が同じテープＩＤがあるかどうか判定し、同じテープＩＤがあるときには、同じテープカセットのライブラリ情報が複数のメモリカードにまたがって記録されていると判定する。
【００４０】
上記のテープカセットＴ４の場合、テープカセットＴ４に固有のテープＩＤがメモリカード３１Ａ、３１Ｂ及び３１Ｃの各ライブラリ情報の中にそれぞれに含まれているため、ライブラリ解析・ＨＴＭＬ作成部２１はテープカセットＴ４のライブラリ情報が３つのメモリカード３１Ａ、３１Ｂ及び３１Ｃにまたがって記録されていると判定する。
【００４１】
この判定結果に基づき、ライブラリ解析・ＨＴＭＬ作成部２１は、特定ディレクトリ２３にメモリカード３１Ａ、３１Ｂ又は３１Ｃのライブラリ情報を格納した後、その内容を画面表示部２２に図３に示したように表示させるときに、ライブラリ表示部１０５ａ〜１０５ｃにはテープ番号だけでなく、そのメモリカードのカードＩＤも併せて表示する。
【００４２】
前述したように、メモリカード３１ＡのカードＩＤを“１１１１”、メモリカード３１ＢのカードＩＤを“２２２２”、メモリカード３１ＣのカードＩＤを“３３３３”とすると、例えば、メモリカード３１Ａのライブラリ情報の表示時には、図３に示したサムネイル画像１０４ａがテープカセットＴ４のライブラリ情報であるときは、ライブラリ表示部１０５ａに、テープカセットＴ４がメモリカード３１Ａにとっては４番テープであり、かつ、メモリカード３１Ａに記録されていることを示すために、”１１１１−０００４”というように、カードＩＤとテープ番号とを同時に表示する。
【００４３】
他の場合も同様であり、テープ番号の表示は”１１１１−０００４”、”２２２２−０００２”、”３３３３−０００１”のようにカードＩＤ−Ｘ（Ｘはテープ番号）として表示する。一方、テープラベルには”１１１１−０００４”などとユーザの分かるように記載してあるので、メモリカード３１Ａ〜３１Ｃに記録されたライブラリ情報と、テープカセットＴ１〜Ｔ６とが対応付けられ、大量のテープカセットとメモリカードとの管理が容易にできる。
【００４４】
なお、ライブラリ情報が記録される可搬型の記録媒体はメモリカードに限定されるものではなく、メモリスティック等の他の記録媒体を使用できることは勿論である。また、表示部１２の頭出し検索時の表示は、カードＩＤ及びテープ番号のうちカードＩＤだけを表示するようにしてもよい。
【図面の簡単な説明】
【００４５】
【図１】本発明のビデオカメラの一実施の形態の概略ブロック図である。
【図２】本発明システムの一実施の形態の概略構成図である。
【図３】本発明システムにおける表示画面の一例を示す図である。
【図４】１つのテープカセットのライブラリ情報が複数のメモリカードにまたがって記録されている関係の一例を示す図である。
【図５】従来のビデオカメラのテープとメモリカードがそれぞれ持つライブラリ情報の一例を示す図である。
【図６】１つのメモリカードが複数のテープカセットのライブラリ情報を有する関係の一例を示す図である。
【符号の説明】
【００４６】
１０  ビデオカメラ
１１  解析部
１２  表示部
１３、３１Ａ、３１Ｂ、３１Ｃ  メモリカード
２１  ライブラリ解析・ＨＴＭＬ作成部
２２  画面表示部
２３  特定ディレクトリ
１００  タグを並び替えるプルダウンメニュー
１０１  タグ
１０２  タグの表示切り替えるボタン
１０３  一つのタグ内を並び替えるプルダウンメニュー
１０４ａ〜１０４ｃ  テープに記録されている動画像の最初のシーンのサムネイル画像
１０５ａ〜１０５ｃ  メモリカードに記録されたライブラリの一部
１０６ａ  ユーザが独自にコメントを入れられるフォーム
１０７  一つのタグ内の表示しきれないライブラリを表示するためのプルダウンメニュー及びクリッカブルリンク
Ｔ１〜Ｔ６  テープカセット
【図１】
2006041565.tif 000003
【図２】
2006041565.tif 000004
【図３】
2006041565.tif 000005
【図４】
2006041565.tif 000006
【図５】
2006041565.tif 000007
【図６】
2006041565.tif 000008